(57)【要約】【課題】利用者が手で操作摘みを回動操作することにより水道水を供給できると共に、足でも操作することにより水道水を供給できる水栓装置の提供。【解決手段】利用者がペダル１３の踏み板１３Ｃ上に足を置いて押し下げると、一対の制限板１３Ｄ、１３Ｄが床面２１に当接するまで、搖動片９は支軸８を支点として搖動する。すると、搖動片９に固定された内ワイヤー１８は、スプリング５５の付勢力に抗して引っ張られ、これに伴い、スピンドルヘッド５４及びスピンドルヘッド５４に固定されているロッド４３が上昇する。このため、ロッド４３がスピンドル４２内を上方へ摺動しながら移動し、このロッド４３の上昇に伴い、弁体４０の弁部３９が蛇口本体３１の弁座３７Ａに当接していて通水孔３７を塞いでいた状態から、水道圧により弁体４０が上昇して通水孔３７を開く状態となり、蛇口３２から水道水が供給されることとなる。【選択図】図３
2016113797.tif 000002
【特許請求の範囲】
【請求項１】
水道水を供給するための出口チャンバと水道本管に連通する入口チャンバとを区画する隔壁に通水孔を開設すると共に中間部上部に止水栓配置部を形成した蛇口本体と、前記通水孔を開閉する弁部とこの弁部の上部にこの弁部より小径の円柱状の軸部とを備えた弁体と、前記止水栓配置部内に下部が配設されてネジ機構を介して回動可能に接続し且つ前記弁体の前記軸部が下方から上下動可能に嵌入するスピンドルと、このスピンドルに上方から上下動可能に嵌入するロッドと、このロッドの上部に連結すると共にワイヤーの一方の端部に固定された抜止部が内部空間に配置されて上壁に開設した挿通孔を介して前記ワイヤーが上方へ引き出されるスピンドルヘッドと、このスピンドルヘッドから上方へ引き出された前記ワイヤーが内挿され前記スピンドルヘッド及び前記ロッドとを下方へ付勢するスプリングと、下部に前記スピンドルの上部が固定されると共に前記スピンドルヘッド及び前記スプリングを内挿した状態で上部にキャップが嵌入される操作摘みと、足を使って水道水を供給するために前記スピンドルヘッドから上方へ引き出されて更に前記キャップを貫通した前記ワイヤーの他方の端部に連結して前記スプリングの付勢力に抗して前記ワイヤーを引っ張るための足踏み操作装置とから成ることを特徴とする水栓装置。
【請求項２】
水道水を供給するための出口チャンバと水道本管に連通する入口チャンバとを区画する隔壁に通水孔を開設すると共に中間部上部に止水栓配置部を形成した蛇口本体と、前記止水栓配置部内に下部が配設されてネジ機構を介して回動可能に接続し且つ前記弁体の前記軸部が下方から上下動可能に嵌入するスピンドルと、前記通水孔を開閉する弁部を備え前記スピンドルに上方から上下動可能に嵌入するロッドと、このロッドの上部に連結すると共にワイヤーの一方の端部に固定された抜止部が内部空間に配置されて上壁に開設した挿通孔を介して前記ワイヤーが上方へ引き出されるスピンドルヘッドと、このスピンドルヘッドから上方へ引き出された前記ワイヤーが内挿され前記スピンドルヘッド及び前記ロッドとを下方へ付勢するスプリングと、下部に前記スピンドルの上部が固定されると共に前記スピンドルヘッド及び前記スプリングを内挿した状態で上部にキャップが嵌入される操作摘みと、足を使って水道水を供給するために前記スピンドルヘッドから上方へ引き出されて更に前記キャップを貫通した前記ワイヤーの他方の端部に連結して前記スプリングの付勢力に抗して前記ワイヤーを引っ張るための足踏み操作装置とから成ることを特徴とする水栓装置。
【請求項３】
前記キャップの下部にネジ山を形成すると共に前記操作摘みの上部にネジ山を形成して、両ネジ山を螺合させてその螺合度合に応じて前記スプリングの付勢力を調整するようにしたことを特徴とする請求項１又は２に記載の水栓装置。
【発明の詳細な説明】
【技術分野】
【０００１】
本発明は、水道水を放水するための水栓装置に関するものである。詳述すると、一般家庭、食品を扱う調理場、公共施設、病院、工場等で広く使用されている水栓装置に関するものである。
【背景技術】
【０００２】
一般に、この種の水栓装置は蛇口が水道に直結しており、利用者が操作摘みを操作することにより、水道水を放水して、手洗いや水飲みに供している（例えば、特許文献１参照）。また、人体検出センサの作動により自動的に給水用のカランから水道水を放水するのも、普及している（例えば、特許文献２参照）。
【先行技術文献】
【特許文献】
【０００３】
【特許文献１】特開２００９−２４３２３３号公報
【特許文献２】特開２００８−７５４０６号公報
【発明の概要】
【発明が解決しようとする課題】
【０００４】
しかしながら、利用者が前記操作摘みを回動操作することにより水道水を利用する水栓装置にあっては、次回の使用の際を考慮して、汚れた手で前記操作摘みを汚したくないし、逆に前述したように自動的に前記カランから水道水を放水するものにあっては、手が汚れていても問題ないが、他の仕事をしたいために手を外すと人体検出センサが作動して、給水が停止してしまうという問題がある。
【０００５】
そこで本発明は、利用者が手で操作摘みを回動操作することにより水道水を供給できると共に、足でも操作することにより水道水を供給できる水栓装置を提供することを目的とする。
【課題を解決するための手段】
【０００６】
このため、第１の発明に係る水栓装置は、水道水を供給するための出口チャンバと水道本管に連通する入口チャンバとを区画する隔壁に通水孔を開設すると共に中間部上部に止水栓配置部を形成した蛇口本体と、前記通水孔を開閉する弁部とこの弁部の上部にこの弁部より小径の円柱状の軸部とを備えた弁体と、前記止水栓配置部内に下部が配設されてネジ機構を介して回動可能に接続し且つ前記弁体の前記軸部が下方から上下動可能に嵌入するスピンドルと、このスピンドルに上方から上下動可能に嵌入するロッドと、このロッドの上部に連結すると共にワイヤーの一方の端部に固定された抜止部が内部空間に配置されて上壁に開設した挿通孔を介して前記ワイヤーが上方へ引き出されるスピンドルヘッドと、このスピンドルヘッドから上方へ引き出された前記ワイヤーが内挿され前記スピンドルヘッド及び前記ロッドとを下方へ付勢するスプリングと、下部に前記スピンドルの上部が固定されると共に前記スピンドルヘッド及び前記スプリングを内挿した状態で上部にキャップが嵌入される操作摘みと、足を使って水道水を供給するために前記スピンドルヘッドから上方へ引き出されて更に前記キャップを貫通した前記ワイヤーの他方の端部に連結して前記スプリングの付勢力に抗して前記ワイヤーを引っ張るための足踏み操作装置とから成ることを特徴とする。
【０００７】
また第２の発明に係る水栓装置は、水道水を供給するための出口チャンバと水道本管に連通する入口チャンバとを区画する隔壁に通水孔を開設すると共に中間部上部に止水栓配置部を形成した蛇口本体と、前記止水栓配置部内に下部が配設されてネジ機構を介して回動可能に接続し且つ前記弁体の前記軸部が下方から上下動可能に嵌入するスピンドルと、前記通水孔を開閉する弁部を備え前記スピンドルに上方から上下動可能に嵌入するロッドと、このロッドの上部に連結すると共にワイヤーの一方の端部に固定された抜止部が内部空間に配置されて上壁に開設した挿通孔を介して前記ワイヤーが上方へ引き出されるスピンドルヘッドと、このスピンドルヘッドから上方へ引き出された前記ワイヤーが内挿され前記スピンドルヘッド及び前記ロッドとを下方へ付勢するスプリングと、下部に前記スピンドルの上部が固定されると共に前記スピンドルヘッド及び前記スプリングを内挿した状態で上部にキャップが嵌入される操作摘みと、足を使って水道水を供給するために前記スピンドルヘッドから上方へ引き出されて更に前記キャップを貫通した前記ワイヤーの他方の端部に連結して前記スプリングの付勢力に抗して前記ワイヤーを引っ張るための足踏み操作装置とから成ることを特徴とする。
【０００８】
第３の発明は、第１又は第２の発明において、前記キャップの下部にネジ山を形成すると共に前記操作摘みの上部にネジ山を形成して、両ネジ山を螺合させてその螺合度合に応じて前記スプリングの付勢力を調整するようにしたことを特徴とする。
【発明の効果】
【０００９】
本発明によれば、利用者が手で操作摘みを回動操作することにより水道水を供給できると共に、足でも操作することにより水道水を供給できる水栓装置を提供することができる。
【図面の簡単な説明】
【００１０】
【図１】足踏み操作装置の側面図である。
【図２】足踏み操作装置の正面図である。
【図３】待機状態における水栓装置の水栓の縦断面図である。
【図４】水道水の供給のために足踏み操作装置を操作した際の水栓装置の水栓の縦断面図である。
【図５】水道水の供給のために操作摘みを回動操作した際の水栓装置の水栓の縦断面図である。
【図６】水栓装置の蛇口本体の第２の実施形態を示す縦断面図である。
【発明を実施するための形態】
【００１１】
以下図１乃至図５に基づき、本発明の第１の実施の形態について説明する。先ず、図１は本発明に係る水栓装置１を構成する足踏み操作装置２の側面図、図２は同じく前記足踏み操作装置２の正面図であり、この図１及び図２に基づき、説明する。
【００１２】
先ず、前記足踏み操作装置２は、利用者が手により後述する操作摘みを回動操作することなく、手を使わずに水道水を供給できるようにするためのものであって、足を使って水道水を供給できるようにするためのものであり、図１及び図２に示すものは一例であり、種々の構造が考えられる。
【００１３】
３は一般家屋やその他建物の室内に設置された洗面化粧台の扉で、この扉３に断面がＬ字形状を呈する固定具４が固定部材としてのボルト５、ビス６により固定されるが、前記扉３に限らず、一般家屋やその他建物の室内を形成する壁面でもよいし、これらの前記一般家屋や前記建物の外壁でもよく、これらの建物の限らず、建造物、木等でもよい。
【００１４】
そして、前記固定具４の水平板４Ａの下面に所定間隔を存して一対の支持片７、７が垂下するように固定され、この一対の支持片７、７間に支軸８を介して搖動片９が支持されて搖動可能に設けられる。この搖動片９の前端には前記搖動片９を挟むように、一対の連結固定具１０、１０が対向するように取り付けられる。これの連結固定具１０、１０は、前記搖動片９に固定される構造に限らず、搖動可能に支持される構造にしてもよい。
【００１５】
前記連結固定具１０、１０は、図２に示すように、断面がコ字形状を呈して、各連結固定具１０、１０の外方の側片にはそれぞれ取付穴１０Ａが開設され、各連結固定具１０、１０にはそれぞれ一対のチェーン１１が上端のリング１２を介して前記取付穴１０Ａに嵌合して吊り下げられている。
【００１６】
そして、前記各連結固定具１０、１０のそれぞれに連結された一対の前記チェーン１１の下端は、後述する支持板１３Ｂ、１３Ｂを介してペダル１３が連結されている。このペダル１３は、正面から見て左右の上外方へ広がって開口１３Ａが開設された一対の支持板１３Ｂ、１３Ｂと、この左右の両支持板１３Ｂ、１３Ｂが連結する水平の踏み板１３Ｃと、この踏み板１３Ｃの前後に垂れ下がるように連結する一対の制限板１３Ｄ、１３Ｄとから構成される。
【００１７】
そして、前記固定具４の前記水平板４Ａの前部に開設された開口内にナット１４に挿通した状態の可撓性のワイヤーアウター１５Ａの端部を端部側から被覆したアウターキャップ１５Ｂを挿通し、更に前記ワイヤーアウター１５Ａ及び前記アウターキャップ１５Ｂから突き出した前記内ワイヤー１８をボルト１６に開設した貫通穴に挿通して、前記ナット１４を回動させてこのナット１４とボルト１６の頭部とで前記固定具４の水平板４Ａを挟むようにする。この場合、軟質の合成樹脂製の前記ワイヤーアウター１５Ａ内には、中空円筒状の鋼鉄製で可撓性を有する外ワイヤー１７とこの外ワイヤー１７内に移動可能に鋼鉄製で可撓性を有する内ワイヤー１８とを既に配設した状態である。
【００１８】
そして、前記搖動片９の中間部に開設されたネジ穴内にボルト１９が螺合してナット２０とで前記搖動片９を挟むように取り付けるが、このボルト１９のネジ軸に開設された貫通穴内に、前記ワイヤーアウター１５Ａ及び前記アウターキャップ１５Ｂから下方に突き出した前記内ワイヤー１８の端部が挿通された状態で、前記搖動片９と前記ボルト１９の頭部との間に前記内ワイヤー１８が位置することにより、前記ボルト１９の締め付けにより前記内ワイヤー１８は前記搖動片９に固定され連結することとなる。
【００１９】
以上の構成にしたために、利用者が前記ペダル１３の前記踏み板１３Ｃ上に足を置いて押し下げると、前記搖動片９は前記支軸８を支点として、二点鎖線にて示すように搖動する。この前記搖動片９の搖動に伴い、結果として前記外ワイヤー１７内の前記内ワイヤー１８は図１における下方へ移動することとなる。
【００２０】
なお、２２は高さ調節台で、前述した一般家屋や建物の床面２１上に載置され、前記利用者が前記ペダル１３の前記踏み板１３Ｃ上に足を置いて押し下げる場合に、押し下げし易いように、足のかかと部分を前記高さ調節台２２上に置きながら、足の先端部分を前記踏み板１３Ｃ上に置いて、かかとを支点として足の先端部分を簡単に下げることができる。
【００２１】
次に、図３に基づいて、前記水栓装置１の水栓３０について、説明する。一般に良く知られて使用されている蛇口本体３１の出口側の一端部には下向きの蛇口３２が取り付けられて連結し、他端部の周側面には前記水栓３０の取付面に当接するフランジ３３及び前記取付面に固定するための取付ネジ３４が形成されている。
【００２２】
また、前記蛇口本体３１の中間上部には上方に延びるように止水栓配置部３５が形成され、内部には後述する止水栓３６によって開閉される通水孔３７が形成され、図示しない水道本管に接続された前記蛇口本体３１の前記通水孔３７を介して前記蛇口３２より水道水を供給して、利用者の利用の便宜に供している。即ち、前記蛇口本体３１は、入口チャンバ３１Ａと出口チャンバ３１Ｂとを区画する隔壁３１Ｃが設けられ、両チャンバ３１Ａ、３１Ｂは前記隔壁３１Ｃの通水孔３７により連通できる構造である。
【００２３】
次に、前記止水栓３６について、詳述する。先ず、平面視円形状の前記通水孔３７の開口部を形成する上端の周縁部には起立した平面視円形状の弁座３７Ａが形成され、この弁座３７Ａに当接したり又は当接を解除したりして、前記通水孔３７の前記開口部を開閉させるパッキンを備えた平面視円形状の弁部３９を有する弁体（ケレップ）４０が配設される。なお、この弁体４０を後述するロッド４３の一部として、一体に形成してもよい。
【００２４】
４２は前記弁体４０の上部の円柱状の軸部４１が上下に摺動可能に解説された内部空間内に下方から嵌入される中空円筒状のスピンドルで、このスピンドル４２の前記内部空間内には上方からロッド４３が上下に摺動可能に嵌入して配設される。前記ロッド４３の下部には縮径されて環状溝４５が形成され、この環状溝４５内にはリング状のシール４６が配設される。
【００２５】
なお、前記スピンドル４２の下部の大径部４２Ｂの周側面にはネジ山４２Ａが形成され、また前記蛇口本体３１の中空円筒状を呈する前記止水栓配置部３５の内側周側面にもネジ山３５Ａが形成され、前記止水栓配置部３５の前記ネジ山３５Ａに前記スピンドル４２の前記ネジ山４２Ａが螺合することにより、このネジ機構によって前記止水栓配置部３５内に前記スピンドル４２の前記大径部４２Ｂを含めた下部が嵌入する。
【００２６】
そして、前記止水栓配置部３５内に、前記弁体４５の前記軸部４１が嵌合された状態の前記スピンドル４２の前記大径部４２Ｂを含めた下部を嵌入させて、前記止水栓配置部３５上端の段差部上にワッシャー４８を介してシール５０が載置した状態で、お椀形のナット５１の中央開口部内に前記スピンドル４２の小径部４２Ｃを嵌入させるようにして、前記止水栓配置部３５の上部周側面に形成したネジ山３５Ｂに前記ナット５１の内側面に形成したネジ山５１Ａを螺合させて、このネジ機構を介して前記止水栓配置部３５に前記スピンドル４２を取り付ける。
【００２７】
一方、前記内ワイヤー１８の他端部に固定された抜止部５３が有底円筒状のスピンドルヘッド５４の内部空間に位置するようにして、前記外ワイヤー１７及び前記内ワイヤー１８を前記スピンドルヘッド５４の上壁に開設した挿通孔５４Ａを介して上方へ延びるようにする。
【００２８】
また前記スピンドルヘッド５４の内壁面に形成されたネジ山５４Ｂと前記ロッド４３の上部に形成されたネジ山４３Ａとを螺合させて、このネジ機構を介して前記スピンドルヘッド５４と前記ロッド４３とを固定して連結する。
【００２９】
そして、前記スピンドル４２の内部空間内に前記ロッド４３を挿入した状態で、前記スピンドル４２の周側面に形成されたネジ山４２Ｄにロックナット６１のネジ山６１Ａを螺合させて、このネジ機構を介して固定する。
【００３０】
そして、前記外ワイヤー１７及び前記内ワイヤー１８が内挿されたコイル状のスプリング５５を前記スピンドルヘッド５４に載置させた状態で、前記抜止部５３を収納すると共に前記挿通孔５４Ａを介して上方へ前記外ワイヤー１７及び前記内ワイヤー１８を挿通させた前記スピンドルヘッド５４及び前記スプリング５５を中空円筒状の操作摘み６０の空間内に上方から配置させて、前記操作摘み６０の内部空間を形成する内壁面の下部に形成されたネジ山６０Ｂと前記スピンドル４２の前記ネジ山４２Ｄとを螺合させて、このネジ機構を介して前記スピンドル４２に前記操作摘み６０を固定する。
【００３１】
そして、前記スプリング５５に内挿された前記外ワイヤー１７、前記内ワイヤー１８及び前記ワイヤーアウター１５Ａをアジャストボルト（キャップ）５６に開設した挿通孔を介して上方へ引出して、前記アジャストボルト５６の周側面に形成されたネジ山５６Ａと前記操作摘み６０の内部空間を形成する内壁面の上部に形成されたネジ山６０Ａとを螺合させながら、このネジ機構を介して前記アジャストボルト５６と前記操作摘み６０とを固定する。
【００３２】
なお、前記外ワイヤー１７及び前記内ワイヤー１８を収納する前記ワイヤーアウター１５Ａの端部を端部側から被覆すると共に前記前記内ワイヤー１８が前記操作摘み６０の空間内に引き出されるアウターキャップ１５Ｃが前記アジャストボルト５６に開設した挿通孔に所定の隙間を存して配設され、前記アジャストボルト５６の前記挿通孔内で前記アウターキャップ１５Ｃが回動可能となる。
【００３３】
更に、前記アジャストボルト５６に開設した前記挿通孔を介して前記外ワイヤー１７、前記内ワイヤー１８及び前記ワイヤーアウター１５Ａを上方へ引出して、前述したように、この内ワイヤー１８の端部を前記搖動片９と前記ボルト１９の頭部との間に位置することにより、前記ボルト１９の締め付けにより前記内ワイヤー１８は前記搖動片９に固定されることとなる。
【００３４】
なお、前記アジャストボルト５６の前記ネジ山５６Ａと前記操作摘み６０の前記ネジ山６０Ａとの螺合度合に応じて前記スプリング５５の伸長しようとする付勢力を調整することができる。このため、前記アジャストボルト５６を前記操作摘み６０内に深くねじ込むと、前記付勢力は強くなるので、ときに水道水の出が悪くなったり、前記ペダル１３を下降させるのに強く踏まねばならなくなる。また、逆に浅くねじ込むと、前記付勢力は弱くなるので、ときに水道水の出が良くなったり、前記ペダル１３を下降させるのに弱い力で踏めば足りることとなる。
【００３５】
なお、前記ワイヤーアウター１５Ａ内の前記外ワイヤー１７及び前記内ワイヤー１８は撓った状態であって、前記アジャストボルト５６に支持されている前記内ワイヤー１８の一端の高さレベルは、前記足踏み操作装置２の前記固定具４にボルト１６及び前記ナット１４に支持されている他端の高さレベルより高い位置にあり、図３においては、前記内ワイヤー１８の一端は下方へ付勢されており、図１及び図２においては、同じく他端は上方へ付勢されている。この場合、前記ワイヤーアウター１５Ａ内に収納された前記外ワイヤー１７及び前記内ワイヤー１８の中間部には支点（図示せず）を介在させてもよい。
【００３６】
そして、前記足踏み操作装置２を操作しないで、前記操作摘み６０が締め付けられている状態が図３に示す状態であって、この状態では、水道圧よりも強い前記スプリング５５の付勢力により、前記スピンドルヘッド５４及び前記ロッド４３を下方へ付勢し、このロッド４３が前記弁体４０を上方から押圧した状態であり、前記蛇口本体３１の弁座３７Ａに前記弁部３９が当接し、前記入口チャンバ３１Ａと前記出口チャンバ３１Ｂとは連通しておらず、水道水は供給されない。
【００３７】
また、この待機状態では、前記スプリング５５の付勢力により、前記スピンドルヘッド５４及び前記ロッド４３を下方へ付勢しているので、図３においては前記内ワイヤー１８の一端は下方へ引っ張られており、図１及び図２においては前記内ワイヤー１８の他端は下方へ引っ張られている。
【００３８】
以上の説明のように組み立てることにより、前記水栓装置１が出来上がることとなる。なお、前記操作摘み６０の前記ネジ山６０Ｂと前記スピンドル４２の前記ネジ山４２Ｄとの螺合の強さは、前記スピンドル４２の前記ネジ山４２Ａと前記止水栓配置部３５の前記ネジ山３５Ａとの螺合の強さより強いので、利用者が前記操作摘み６０を回動操作した際に、前記スピンドル４２は前記操作摘み６０と共に一体に回動することとなる。
【００３９】
以下、図１及び図２に示す前記足踏み操作装置２を利用者が利用して、手を使わずに、給水する動作について説明する。先ず、使用に際して、利用者が前記ペダル１３の前記踏み板１３Ｃ上に足を置いて前記スプリング５５の付勢力に抗して押し下げると、前記搖動片９は前記支軸８を支点として、二点鎖線にて示すように搖動するが、一対の前記制限板１３Ｄ、１３Ｄが前記床面２１に当接する前に前記スプリング５５が圧縮の限度に到達し、前記搖動は規制されて停止する。これにより、一対の前記制限板１３Ｄ、１３Ｄが前記床面２１を傷つけることが防止される。しかしながら、この傷つけることが問題でなければ、一対の前記制限板１３Ｄ、１３Ｄが前記床面２１に当接することにより前記搖動が規制されて停止する構成にしてもよい。
【００４０】
すると、前記搖動片９の搖動に伴い、前記搖動片９に固定された前記内ワイヤー１８は、図１及び図２においては、前記スプリング５５の付勢力に抗して下方へ引っ張られることとなり、これに伴い、前記スピンドルヘッド５４及びこの前記スピンドルヘッド５４に固定されている前記ロッド４３が上昇することとなる（図４参照）。
【００４１】
このため、前記ロッド４３が前記スピンドル４２内を上方へ摺動しながら移動することとなる。このロッド４３の上昇に伴い、前記弁体４０の前記弁部３９が前記蛇口本体３１の前記弁座３７Ａに当接していて前記通水孔３７を塞いでいた状態から、水道圧により前記弁体４０が上昇して前記通水孔３７を開く状態となり、前記入口チャンバ３１Ａと前記出口チャンバ３１Ｂとが連通することとなる。従って、前記蛇口３２から水道水が供給されることとなる。
【００４２】
なお、このときの供給する水量の調整は、利用者の前記ペダル１３の前記踏み板１３Ｃの踏込量を加減することにより行なうことができる。即ち、前述した踏込量によっては、前記ロッド４３の上昇量が加減され、結果として前記弁体４０の上昇量が加減されることとなり、前記通水孔３７の開き度合が調整されて水量の調整がなされることとなる。
【００４３】
なお、前記ペダル１３の前記踏み板１３Ｃから足を離すと、前記スプリング５５の付勢作用で、水道圧に抗して、前記内ワイヤー１８は図１における上方へ引っ張られることとなり、これに伴い、前記スピンドルヘッド５４及び前記ロッド４３が下降することとなる。このロッド４３の下降に伴い、前記弁体４０の前記弁部３９が前記蛇口本体３１の前記弁座３７Ａに当接して前記通水孔３７を塞ぐ状態となり、前記入口チャンバ３１Ａと前記出口チャンバ３１Ｂとの連通が遮断されることとなり、水道水の供給が停止することとなる。
【００４４】
なお、前述したように、前記高さ調節台２２を使用することにより、前記ペダル１３の前記踏み板１３Ｃを押し下げし易いようにすることができる。また、足の代わりに、重石を前記踏み板１３Ｃ上に載置することにより、利用者がその場に居なくとも、図１及び図２に示す二点鎖線に示すような状態を維持できて、水道水を出し続けることができる。
【００４５】
次に、図３に示す待機状態から、利用者が足ではなく、手で操作することにより、水道水を供給する動作について、図５を参照しつつ説明する。先ず、利用者が前記操作摘み６０を左回転させると、この操作摘み６０と共に前記スピンドル４２及び前記ロッド４３も左回転する。
【００４６】
このとき、前記スピンドル４２の前記ネジ山４２Ａと前記止水栓配置部３５の前記ネジ山３５Ａとが螺合しているので、このネジ機構により前記スピンドル４２は前記蛇口本体３１の前記止水栓配置部３５内を上昇することとなる。
【００４７】
即ち、前記操作摘み６０の左回転に伴い、この操作摘み６０、前記スピンドル４２及び前記ロッド４３が上方へ移動することとなるので、このロッド４３の上昇に伴って前記弁体４０の前記弁部３９が前記蛇口本体３１の前記弁座３７Ａに当接していて前記通水孔３７を塞いでいた状態から、水道圧により前記弁体４０が上昇して前記通水孔３７を開き、前記入口チャンバ３１Ａと前記出口チャンバ３１Ｂとが連通し、前記蛇口３２から水道水が供給されることとなる（図５参照）。
【００４８】
逆に、利用者が前記操作摘み６０を右回転させると、この操作摘み６０と共に前記スピンドル４２及び前記ロッド４３も右回転する。このとき、前記スピンドル４２の前記ネジ山４２Ａと前記止水栓配置部３５の前記ネジ山３５Ａとが螺合しているので、このネジ機構により前記スピンドル４２は前記蛇口本体３１の前記止水栓配置部３５内を下降することとなる。
【００４９】
即ち、前記操作摘み６０の右回転に伴い、前記スピンドル４２及び前記ロッド４３が下方へ移動することとなるので、このロッド４３の下降に伴って前記弁体４０の前記弁部３９が前記蛇口本体３１の前記弁座３７Ａに当接して前記通水孔３７を塞ぐ状態となり、水道圧に抗して前記弁体４０が下降して前記通水孔３７を塞ぎ、前記入口チャンバ３１Ａと前記出口チャンバ３１Ｂとの連通を遮断し、前記蛇口３２からの水道水の供給が停止することとなる（図３参照）。
【００５０】
なお、前述した蛇口本体３１に代えて、本発明は図６に示すような蛇口本体７１にも適用できる。この場合、前記蛇口本体７１の入口側を、上下逆さにした混合水栓（水道水と湯とを混合する水栓）の蛇口本体の出口側又は出口側に連通する蛇口に上方から連結接続する構成である。
【００５１】
そして、図３に示す前記蛇口本体３１は、前記隔壁３１Ｃにより区画された前記入口チャンバ３１Ａ及び前記出口チャンバ３１Ｂは共に水平方向に延びるように配置されて並設されたが、この図６に示す実施形態は通水孔７７が開設されると共にこの通水孔７７の開口部を形成する上端の周縁部には起立した弁座７７Ａが形成された隔壁７１Ｃにより区画される前記入口チャンバ７１Ａは前記隔壁７１Ｃの下方に配設されて上下方向に延び、出口チャンバ７１Ｂは前記隔壁７１Ｃの上方に配設されて水平方向に延びるように配置されて連設される。その他の構成は、図３に示すものと同様な構造であり、その作用も同様であり、ここでの説明は省略する。
【００５２】
なお、以上の実施形態における前記弁体４０、前記ナット５１、前記シール５０、前記ワッシャー４８は、通常水栓装置に備えられているのが一般的であり、本発明の実施形態にあっては、これらの既存の部品を有効活用できる。
【００５３】
以上のように、本発明の実施形態によれば、利用者が手で前記操作摘み６０を回動操作することにより水道水を供給できると共に、足でも前記足踏み操作装置２を操作することにより水道水を供給できる水栓装置を提供することができる。
【００５４】
従って、前記足踏み操作装置２を操作して水道水を供給する場合には、手を使用しなくともよいから、手が汚れている場合には、前記操作摘み６０を汚すことが無く衛生的である。
【００５５】
また、前記足踏み操作装置２の前記ペダル１３の前記踏み板１３Ｃの踏込量を加減することにより、前記通水孔３７の開き度合を調整して水道水の供給量の調整ができる。
【００５６】
更には、前記操作摘み６０を回動操作して水道水を供給することができるので、利用者はその場に居なくとも、バケツ等に水を溜めることができる。
【００５７】
前記水栓装置１は機械式であるため、電源が不要であり、停電の心配も無く、また電源設備も使用しないので安価である。
【００５８】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００５９】
１            水栓装置
２            足踏み操作装置
１３          ペダル
１８          内ワイヤー
３１          蛇口本体
３５          止水栓配置部
３７          通水孔
３９          弁部
４０          弁体
４１          軸部
４２          スピンドル
４３          ロッド
５３          抜止部
５４          スピンドルヘッド
５４Ａ        挿通孔
５５          スプリング
６０          操作摘み
【図１】
2016113797.tif 000003
【図２】
2016113797.tif 000004
【図３】
2016113797.tif 000005
【図４】
2016113797.tif 000006
【図５】
2016113797.tif 000007
【図６】
2016113797.tif 000008